(57)【要約】  反射部材を用いた折り曲げ光学系の、薄型化を可能とすると共に、操作性の良好なレンズバリア開閉機構を備えたレンズ鏡胴及び、より薄型のカメラを得る。  被写体光が入射する開口部と、レンズバリアと、複数のレンズ群と、被写体光を略直角方向に折り曲げる反射部材と、被写体光を光電変換する撮像素子と、を有し、複数のレンズ群のうち所定のレンズ群を光軸方向に移動させて変倍を行うよう構成されたレンズ鏡胴において、少なくとも一つのレンズ群はリードスクリューに螺合する螺合部材の移動に従って移動するよう構成され、螺合部材はレンズ群の移動範囲を越える位置まで移動可能とされ、螺合部材のレンズ群の移動範囲を越えた位置での移動によりレンズバリアを開閉するよう構成したレンズ鏡胴とする。【特許請求の範囲】
【請求項１】
被写体光が入射する開口部と、前記開口部を露呈する開状態と前記開口部を覆う閉状態とするレンズバリアと、前記被写体光を導く複数のレンズ群と、前記被写体光を略直角方向に折り曲げる反射部材と、前記複数のレンズ群と前記反射部材とにより導かれた被写体光を光電変換する撮像素子と、を有し、前記複数のレンズ群のうち所定のレンズ群を光軸方向に移動させて変倍を行うよう構成されたレンズ鏡胴において、光軸方向に移動する所定のレンズ群のうち、少なくとも一つのレンズ群はリードスクリューに螺合する螺合部材の移動に従って移動するよう構成され、前記螺合部材は、前記一つのレンズ群の移動範囲を越える位置まで移動可能に構成され、前記螺合部材の前記一つのレンズ群の移動範囲を越えた位置での移動により前記レンズバリアを開閉するよう構成したことを特徴とするレンズ鏡胴。
【請求項２】
前記レンズバリアは、付勢部材により前記開口部を露呈する方向に付勢され、前記螺合部材の、前記付勢部材の付勢力に抗する方向への移動により、前記開口部を覆う閉状態とすることを特徴とする請求の範囲第１項に記載のレンズ鏡胴。
【請求項３】
光軸方向に移動する所定のレンズ群は、付勢部材により、互いに離間する方向に付勢されていることを特徴とする請求の範囲第１項又は第２項に記載のレンズ鏡胴。
【請求項４】
前記複数のレンズ群のうち、前記反射部材と前記撮像素子の間に配置されたレンズ群は、２本のガイドシャフトにより各々の光軸に直交する方向の位置決めが、なされていることを特徴とする請求の範囲第１項〜第３項のいずれか１項に記載のレンズ鏡胴。
【請求項５】
請求の範囲第１項〜第４項のいずれか１項に記載のレンズ鏡胴を備えたことを特徴とする撮像装置。
【請求項６】
請求の範囲第１項〜第４項のいずれか１項に記載のレンズ鏡胴を備えたことを特徴とするカメラ。
【請求項７】
請求の範囲第１項〜第４項のいずれか１項に記載のレンズ鏡胴を備えたことを特徴とするカメラ機能付き携帯機器。
【発明の詳細な説明】
【技術分野】
【０００１】
本発明は、被写体光を略直角に折り曲げて撮像素子に導くよう構成された撮像光学系の鏡胴の、被写体光入射部である開口部に設けられたレンズバリア駆動機構に関するものである。
【背景技術】
【０００２】
従来より、被写体像を撮像素子により光電変換した信号をデジタル信号に変換し、所定の処理を施した後、記録媒体に電子的に記録する所謂デジタルカメラにおいて、撮像光学系中に反射部材を配置し、カメラの前面に略平行な方向に光軸を折り曲げて撮像光学系を構成したものが知られている。この折り曲げ光学系を備えたカメラの前面の被写体光が入射する開口部を、覆う位置と露呈する位置に移動することで開閉するレンズバリアを配置したものも公知である。【０００３】
このような、折り曲げ光学系を備えたカメラのレンズバリアの開閉駆動機構として、光軸回りの、レンズ群の円周方向に配置された変倍用のカム筒を用い、カム筒の回転領域のうち所定の領域をレンズバリアの開閉に使用するものが知られている。【０００４】
また、カメラ前面に設けられた操作リングを手動で回動させ、この回動操作に応動して操作リングに係合したレンズバリアを回動させ、開口部を開閉させるものが開示されている（例えば、特許文献１参照）。
【特許文献１】特開２００１−１１１８６８号公報（図６〜図１０）
【発明の開示】
【発明が解決しようとする課題】
【０００５】
上述の折り曲げ光学系を用いたカメラは、折り曲げ光学系が変倍系であっても、カメラボディ前面から光学系が突出せず、カメラ前面をフラットに形成できるものである。【０００６】
しかしながら、上述のレンズ群の円周方向に配置された変倍用のカム筒の回転領域のうち、所定の領域をレンズバリアの開閉に用いるものは、パワーオンスイッチ等の操作部材をワンタッチ操作するだけでレンズバリアを開状態、即ち撮影準備状態とでき操作性は良好であるが、光学系を構成するレンズ群の外側の光軸回りに変倍用のカム筒を配置せねばならず、光学系の鏡胴径が大きくなり、カメラの薄型化には障害となる。【０００７】
また、上述の特許文献１に記載のレンズバリアの開閉駆動機構は、カメラ前面の開口部回りに設けられた操作リングを手動で逐次回動させるものであり、電動で開閉動作するレンズバリアに比べ、操作性に劣る問題がある。【０００８】
本発明は、上記問題に鑑み、反射部材を用いた折り曲げ光学系の、薄型化を可能とすると共に、操作性の良好なレンズバリア開閉機構を備えたレンズ鏡胴及び、このレンズ鏡胴を備えることで、より薄型のカメラを得ることを目的とするものである。
【課題を解決するための手段】
【０００９】
上記の目的は、以下の構成により解決される。【００１０】
１）被写体光が入射する開口部と、前記開口部を露呈する開状態と前記開口部を覆う閉状態とするレンズバリアと、前記被写体光を導く複数のレンズ群と、前記被写体光を略直角方向に折り曲げる反射部材と、前記複数のレンズ群と前記反射部材とにより導かれた被写体光を光電変換する撮像素子と、を有し、前記複数のレンズ群のうち所定のレンズ群を光軸方向に移動させて変倍を行うよう構成されたレンズ鏡胴において、光軸方向に移動する所定のレンズ群のうち、少なくとも一つのレンズ群はリードスクリューに螺合する螺合部材の移動に従って移動するよう構成され、前記螺合部材は、前記一つのレンズ群の移動範囲を越える位置まで移動可能に構成され、前記螺合部材の前記一つのレンズ群の移動範囲を越えた位置での移動により前記レンズバリアを開閉するよう構成したことを特徴とするレンズ鏡胴。【００１１】
２）前記レンズバリアは、付勢部材により前記開口部を露呈する方向に付勢され、前記螺合部材の、前記付勢部材の付勢力に抗する方向への移動により、前記開口部を覆う閉状態とする１）のレンズ鏡胴。【００１２】
３）光軸方向に移動する所定のレンズ群は、付勢部材により、互いに離間する方向に付勢されている１）又は２）のレンズ鏡胴。【００１３】
４）前記複数のレンズ群のうち、前記反射部材と前記撮像素子の間に配置されたレンズ群は、２本のガイドシャフトにより各々の光軸に直交する方向の位置決めが、なされている１）〜３）のいずれかのレンズ鏡胴。【００１４】
５）１）〜４）のいずれかのレンズ鏡胴を備えたことを特徴とする撮像装置。【００１５】
６）１）〜４）のいずれかのレンズ鏡胴を備えたことを特徴とするカメラ。【００１６】
７）１）〜４）のいずれかのレンズ鏡胴を備えたことを特徴とするカメラ機能付き携帯機器。
【発明の効果】
【００１７】
本発明の、リードスクリューに螺合する螺合部材を移動させ、これに従ってレンズ群を移動させて変倍を行うように構成し、この螺合部材を、レンズ群の移動範囲を越える位置まで移動可能にして、螺合部材のレンズ群の移動範囲を越えた位置での移動によってレンズバリアを開閉するよう構成したレンズ鏡胴とすることで、各部の駆動方向を光軸に平行な方向とでき、これによりレンズ鏡胴を薄型に構成でき、更に、新たなアクチュエータを追加することなくレンズバリアの開閉とズーミングを行うことができ、低コストで操作性の良好なレンズ鏡胴を備えたカメラを得ることが可能となる。
【図面の簡単な説明】
【００１８】
【図１】本発明に係るレンズ鏡胴を備えたカメラの、主要構成ユニットの内部配置の一例を示す図である。
【図２】本発明に係るレンズ鏡胴のユニット状態の斜視図である。
【図３】本発明に係るレンズ鏡胴に内包された変倍可能な折り曲げ撮像光学系を示す断面図である。
【図４】第２レンズ群及び第４レンズ群の移動機構を示す模式図である。
【図５】本発明に係るレンズ鏡胴のレンズバリア開閉機構の一例を示す模式図である。
【図６】本発明に係るレンズバリア開閉機構のその他の例を示す模式図である。
【符号の説明】
【００１９】
１  第１レンズ群
２  第２レンズ群
３  第３レンズ群
４  第４レンズ群
５  光学フィルタ
６  撮像素子
９  シャッタユニット
１０  主胴Ａ
１１  主胴Ｂ
１５  ガイド軸
１６  ガイド軸
１８  圧縮コイルバネ
２０  第１モータ
２１  第２モータ
２２  螺合部材（ナット）
５０  レンズ鏡胴
５１  開口部
６０  レンズバリア
６２  バネＡ
６４  レンズバリア駆動部材
６７  バネＢ
１００  カメラ
【発明を実施するための最良の形態】
【００２０】
以下、実施の形態により本発明を詳しく説明するが、本発明はこれに限定されるものではない。【００２１】
図１は、本発明に係るレンズ鏡胴を備えたカメラ１００の、主要構成ユニットの内部配置の一例を示す図である。同図は、カメラ１００を被写体側から見た斜視図である。【００２２】
同図に示すように、カメラ１００は、変倍可能な折り曲げ撮像光学系を内包した本発明に係るレンズ鏡胴５０が図示の如く右側に縦に配置され、被写体光束を取り込むレンズ開口部５１が図示のように配置されている。更に、レンズ開口部５１を露呈する開状態と、レンズ開口部５１を覆う閉状態とするレンズバリアが設けられている。【００２３】
５２はフラッシュ発光窓であり、５３はフラッシュ発光窓の後方に配置された反射傘、キセノン管、その他メインコンデンサ、回路基板等で構成されるフラッシュユニットである。５４はカード型の画像記録用メモリである。５５は電池であり、本カメラの各部へ電源を供給する。画像記録用メモリ５４及び電池５５は、図示しない蓋部から挿脱が可能となっている。【００２４】
本カメラの上面には、レリーズ釦５６が配置され、その１段の押し込みによりカメラの撮影準備動作、即ち焦点合わせ動作や測光動作が行われ、その２段の押し込みにより撮影露光動作が行われる。５７はメインスイッチであり、カメラを動作状態と非動作状態に切り替えるスイッチである。メインスイッチ５７により動作状態に切り替えられると、図示しないレンズバリアは、開状態にされると共に、各部の動作が開始される。また、メインスイッチ５７により非動作状態に切り替えられると、レンズバリアは、閉状態にされると共に、各部の動作を終了させる。【００２５】
本カメラの背面には、ＬＣＤ或いは有機ＥＬで構成され、画像やその他文字情報等を表示する画像表示部５８が配置されている。また、図示していないが、ズームアップ、ズームダウンをおこなうズーム釦、撮影した画像を再生する再生釦、画像表示部５８上に各種のメニューを表示させるメニュー釦、表示から所望の機能を選択する選択釦等の操作部材が配置されている。【００２６】
また、図示しないが、これら主要構成ユニットの間には、各部を接続すると共に、各種電子部品が搭載された回路基板が配置され、各主要構成ユニットの駆動及び制御を行うようになっている。【００２７】
更に、図示していないが、外部入出力端子、ストラップ取り付け部、三脚座等を備えている。【００２８】
図２は、本発明に係るレンズ鏡胴５０のユニット状態の斜視図である。【００２９】
同図に示すように、レンズ鏡胴５０は、レンズ開口部５１近傍の主胴Ａ１０上に、レンズバリア６０が支軸６１に支持されて配置されている。レンズバリア６０は、支軸６１を中心に図示矢印方向に回動し、レンズ開口部５１を露呈する位置と、覆う位置とに切り替わり開閉動作を行うようになっている。６は撮像素子、２０は一方のレンズ群を移動させる第１モータ、２１は他方のレンズ群を移動させる第２モータである。第１モータ２０、第２モータ２１、撮像素子６は、図示しないプリント基板に接続され、個々に制御及び駆動されるようになっている。【００３０】
図３は、本発明に係るレンズ鏡胴５０に内包された変倍可能な折り曲げ撮像光学系を示す断面図である。同図は、ワイド時の状態を示しており、折り曲げ前及び折り曲げ後の２つの光軸を含む面で切断したものである。【００３１】
同図に示すように、ＯＡは折り曲げ前の光軸であり、ＯＢは折り曲げ後の光軸である。レンズ鏡胴５０の外側は、主胴Ａ１０及び主胴Ｂ１１で構成されている。【００３２】
１は第１レンズ群であり、第１レンズ群１は、光軸をＯＡとし被写体に向けて配置されたレンズ１１と光軸ＯＡを略直角方向に折り曲げる反射部材であるプリズム１２と、プリズム１２により折り曲げられた光軸ＯＢを光軸として配置されたレンズ１３により構成されている。この第１レンズ群１は、主胴Ａ１０に固定されたレンズ群である。【００３３】
この第１レンズ群１を構成するレンズ１１の前方（被写体光入射側）には、開口部を露呈する開状態と開口部を覆う閉状態とするレンズバリア６０が配置されている。レンズバリア６０は、主胴Ａ１０に形成されたレール１０ｒ上を摺動しつつ回動して、図示の開状態と開口部を覆う閉状態となる。【００３４】
２は第２レンズ群であり、第２レンズ群鏡枠２ｋに組み込まれている。第２レンズ群は、変倍（以下、ズーミングとも言う）時に第２レンズ群鏡枠２ｋと共に、一体的に移動するレンズ群である。【００３５】
３は第３レンズ群であり、第３レンズ群鏡枠３ｋに組み込まれている。この第３レンズ群３は、第３レンズ群鏡枠３ｋが主胴Ａ１０により固定され変倍時移動しないレンズ群である。【００３６】
４は第４レンズ群であり、第４レンズ群鏡枠４ｋに組み込まれている。第４レンズ群は、変倍時及び焦点調節（以下、フォーカシングとも言う）時に第４レンズ群鏡枠４ｋと共に、一体的に移動するレンズ群である。【００３７】
５は赤外光カットフィルタ及びオプチカルローパスフィルタを積層した光学フィルタであり、主胴Ａ１０に組み付けられている。６は撮像素子であり、ＣＣＤ（Ｃｈａｒｇｅ  Ｃｏｕｐｌｅｄ  Ｄｅｖｉｃｅ）型イメージセンサ、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が用いられる。撮像素子６は取り付け部材８に組み付けられ、取り付け部材８は撮像素子６と共に主胴Ａ１０に組み付けられている。７はフレキシブルプリント基板であり、撮像素子６に接続され、カメラ内の他の回路へ接続される。９はシャッタユニットであり、第３レンズ群鏡枠３ｋと同様に、主胴Ａ１０に固定されている。【００３８】
第２レンズ群２及び第４レンズ群４は、図示のワイド状態の位置から、第３レンズ群３に近接する方向へ、各々設定された量だけ移動しズーミングが行われる。更に、第４レンズ群４は、ズーミングにより移動した位置から更に移動することによりフォーカシングが行われる。【００３９】
図４は、第２レンズ群２及び第４レンズ群４の移動機構を示す模式図である。同図は、第２レンズ群２及び第４レンズ群４がワイド位置にある状態を示している。以下の図においては、説明の重複を避けるため、同機能部材には同符号を付与して説明する。【００４０】
同図に示すように、第２レンズ群鏡枠２ｋに一体的に形成されたスリーブ２ｓ、第４レンズ群鏡枠４ｋに一体的に形成されたスリーブ４ｓを貫通して、ガイド軸１５が嵌合している。更に、第２レンズ群鏡枠２ｋに一体的に形成された回転係止部２ｍ、第４レンズ群鏡枠４ｋに一体的に形成された回転係止部４ｍに、ガイド軸１６が係合して配置されている。これにより、第２レンズ群鏡枠２ｋ、第４レンズ群鏡枠４ｋは、ガイド軸１５、１６に沿って光軸ＯＢ方向に摺動可能とされている。【００４１】
なお、スリーブ２ｓは、同図に示すようにプリズム１２の側方まで延伸して形成されていることが望ましい。このようにすることで、レンズ鏡胴の全長をそのままに、スリーブ２ｓは、より充分な長さの嵌合量の確保ができ、第２レンズ群鏡枠２ｋ即ち第２レンズ群２をより円滑に移動させることが可能となる。【００４２】
また、ガイド軸１５及び１６は、シャッタユニット９及び第３レンズ群鏡枠３ｋをも嵌合貫通している。このようにすることで、第２レンズ群２、第３レンズ群３、第４レンズ群４を一対のガイド軸により光軸直交方向の位置決めを行うことができ、第３レンズ群３が、第２レンズ群２、第４レンズ群４に対してシフトした状態で定位されることを防止している。【００４３】
更に、第２レンズ群鏡枠２ｋはスリーブ２ｓに形成された突起部２ｔ、第４レンズ群鏡枠４ｋはスリーブ４ｓに形成された突起部４ｔを有し、この突起部２ｔと４ｔは付勢部材である圧縮コイルバネ１８により、互いに離間する方向に付勢がなされている。１７は、圧縮コイルバネ１８の座屈を防止するための軸であり、突起部２ｔと４ｔを貫通して配設されている。【００４４】
２０は第１モータ、２１は第２モータであり、共にステッピングモータである。第１モータ２０はリードスクリュー２０ｒ、第２モータ２１はリードスクリュー２１ｒを有しており、リードスクリュー２０ｒには回転方向全周で螺合する螺合部材（ナットとも称す）２２が螺合し、リードスクリュー２１ｒには回転方向全周で螺合する螺合部材（ナットとも称す）２４が螺合されている。ナット２２と２４は、図示しない回転止め部に係合しており、リードスクリューの回転により、それぞれ光軸ＯＢ方向に移動可能に構成されている。【００４５】
ナット２２は、図示の如く、第２レンズ群鏡枠２ｋに一体的に形成された突起部２ｔと当接し、圧縮コイルバネ１８の付勢力に抗して第２レンズ群鏡枠２ｋを停止させることにより第２レンズ群鏡枠２ｋの光軸ＯＢ方向の位置を決めている。同様に、ナット２４は、図示の如く、第４レンズ群鏡枠４ｋに一体的に形成された突起部４ｔと当接し、圧縮コイルバネ１８の付勢力に抗して第４レンズ群鏡枠４ｋを停止させることにより第４レンズ群鏡枠４ｋの光軸ＯＢ方向の位置を決めている。【００４６】
これにより、第１モータ２０のリードスクリュー２０ｒの回転によりナット２２が光軸ＯＢ方向に移動し、第２レンズ群鏡枠２ｋを、光軸ＯＢ方向の所望の位置に移動停止させることができる。同様に、第２モータ２１のリードスクリュー２１ｒの回転によりナット２４が光軸ＯＢ方向に移動し、第４レンズ群鏡枠４ｋを、光軸ＯＢ方向の所望の位置に移動停止させることができる。即ち、第１モータ２０と第２モータ２１の回転方向及び回転量を制御することにより、第２レンズ群２と第４レンズ群４を独立して移動させてズーミングを行い、更に、第２モータ２１により第４レンズ群４を移動させてフォーカシングを行うようになっている。【００４７】
即ち、第２モータ２１のナット２４は、実線で示すワイド位置と破線で示すテレ位置の間を移動してズーミングを行い、その位置の前後を微小に移動することでフォーカシングを行う。【００４８】
なお同図は、説明をわかりやすくするために、第１モータ２０と第２モータ２１の位置を鏡胴外に移動させて図示してあるが、主胴Ａ１０に配置固定されているのが望ましい。また、図示しないが、第２レンズ群２の存在を検出する位置センサ、第４レンズ群４の存在を検出する位置センサが配置されている。位置センサとしては、例えばフォトインタラプタが用いられる。この位置センサは、第２レンズ群鏡枠２ｋ及び第４レンズ群鏡枠４ｋにそれぞれ形成された遮蔽部が、それぞれの位置センサの投受光系間にあって遮蔽しているか、位置センサの投受光系を遮蔽しない位置にあるかを判断するものであり、遮蔽状態から遮蔽しない状態への切り替わり位置を基準にして、それぞれ２つのステッピングモータの回転方向及び回転量を制御し、レンズ群の位置制御が行われるようになっている。【００４９】
更に、第１モータ２０のナット２２は、これに加え後述のレンズバリアの開閉制御が行われるよう構成されている。以下に、ナット２２の動きについて説明する。【００５０】
第１モータ２０のナット２２は、第２レンズ群２の移動範囲を越える位置まで移動可能に設定されている。ズーミング時は実線で示すワイド位置と破線で示すテレ位置の間（図示Ｙ〜Ｚの範囲）を移動し、この範囲を越えた一点鎖線で示す位置（図示Ｘ〜Ｙの範囲）まで移動可能になっている。この図示Ｘ〜Ｙの範囲では、第２レンズ群鏡枠２ｋはストッパ１０ｓと当接して停止した状態となる。この図示Ｘ〜Ｙの範囲でのナット２２の移動により、後述のレンズバリアの開閉動作が行われるようになっている。【００５１】
図５は、本発明に係るレンズ鏡胴のレンズバリア開閉機構の一例を示す模式図である。同図（ａ）はレンズバリア６０の開状態を示し、同図（ｂ）はレンズバリア６０の閉状態を示している。【００５２】
同図（ａ）に示すレンズバリア６０の開状態においては、レンズバリア６０は、バネＡ６２により開方向に付勢され、支軸６１を中心に回動して、主胴Ａ１０に形成されたピンＡ６３に当接して、開口部５１を露呈した状態で停止させられている。【００５３】
６４はレンズバリア駆動部材である。レンズバリア駆動部材６４は図示の状態から、図示右方向に移動した時、レンズバリア駆動部材６４に形成された当接部６４ｔがレンズバリア６０に形成されたピンＢ６５に係合するようになっている。また、レンズバリア駆動部材６４に形成されたピンＣ６６は、第１のモータ２０のリードスクリュー２０ｒに螺合するナット２２と、図示Ｙ〜Ｘの位置で係合し、ナット２２がＹ位置からＸ位置へ移動することより、レンズバリア駆動部材６４が図示の状態から、図示右方向に移動させられるようになっている。【００５４】
即ち、ナット２２がＹ位置より左側にある（図４の図示Ｙ〜Ｚの範囲）時、ナット２２とピンＣ６６は離間し、レンズバリアの開状態が維持される。【００５５】
一方、第１のモータ２０を駆動し、ナット２２をＹ位置からＸ位置方向へ移動させると、ナット２２がピンＣ６６と係合しレンズバリア駆動部材６４を図示右方向に移動させる。これにより、レンズバリア駆動部材６４の当接部６４ｔがレンズバリア６０のピンＢ６５を押し、バネＡ６２の付勢力に抗して、レンズバリア６０を回動させる。【００５６】
ナット２２を、同図（ｂ）に示すようにＸ位置まで移動させると、レンズバリア６０は、開口部を覆う閉状態となり、この状態で第１のモータ２０を停止させると、この閉状態が維持される。【００５７】
閉状態から開状態への動作は、第１のモータ２０を駆動し、ナット２２をＸ位置からＹ位置方向へ移動させることで、バネＡ６２の付勢力によってレンズバリア６０が、回動して同図（ａ）に示す開状態になる。【００５８】
即ち、カメラに搭載された場合には、動作状態とするようメインスイッチがＯＮされると、同図（ｂ）に示す状態から、第１のモータ２０を駆動してナット２２をＸ位置からＹ位置へ移動させることでレンズバリア６０をバネＡ６２の付勢力により同図（ａ）に示す開状態にし、更にナット２２をＹ位置から図示左方向（図４の図示Ｙ〜Ｚの範囲）へ移動させることでワイド状態（図４参照）からズーミングを行うことができる。一方、非動作状態とするようメインスイッチをＯＦＦとされた場合には、まずナット２２をＹ位置へ移動させてワイド状態に戻し、更にナット２２をＹ位置からＸ位置方向へ移動させることで、第２レンズ群２を置き去りにしたまま、レンズバリア６０をバネＡ６２の付勢力に抗して閉方向へ回動させ、Ｘ位置でナット２２を停止させることで同図（ｂ）の閉状態とすることができる。【００５９】
以上説明したように、リードスクリューに螺合するナットを移動させ、これに従ってレンズ群を移動させてズーミングを行うように構成し、このナットを、レンズ群の移動範囲を越える位置まで移動可能にして、ナットのレンズ群の移動範囲を越えた位置での移動によってレンズバリアを開閉するよう構成することで、各部の駆動方向を折り曲げ後の光軸に平行な方向とでき、これによりレンズ鏡胴を薄型に構成でき、更に、新たなアクチュエータを追加することなくレンズバリアの開閉とズーミングを行うことができ、低コストで操作性のよいレンズ鏡胴を備えたカメラを得ることが可能となる。【００６０】
更に、カメラ非動作状態では、レンズ群鏡枠とナットの係合がはずれるため、落下等の衝撃を受けた場合にも、ナット、リードスクリュー及びモータへ衝撃が伝わらず、これらの破損を防止できるカメラを得ることが可能となる。【００６１】
なお、第４レンズ群鏡枠４ｋのスリーブ４ｓに形成された突起部４ｔとナット２４についても、カメラ非動作状態では、ナット２４を第４レンズ群４の移動範囲を越える位置まで移動させるよう構成することが望ましい。このようにすることで、同様に、落下等の衝撃を受けた場合に、ナット２４、リードスクリュー２１ｒ及びモータ２１へ衝撃が伝わらず、これらの破損を防止できる。【００６２】
図６は、本発明に係るレンズバリア開閉機構のその他の例を示す模式図である。同図（ａ）はレンズバリア６０の開状態を示し、同図（ｂ）はレンズバリア６０の閉状態を示している。【００６３】
同図に示すレンズバリア開閉機構と、図５に示したレンズバリア開閉機構との相違点は、レンズバリア駆動部材６４とレンズバリア６０を直接的に係合させず、バネＢ６７を介して係合していることであり、図５と異なる部分に付いてのみ説明する。【００６４】
同図に示した、バネＢ６７は引っ張りコイルバネであって、所謂バネ定数が高く、少量の伸びで、バネＡ６２より大きな付勢力を有するように形成されており、同図（ａ）に示す開状態のレンズバリア６０とレンズバリア駆動部材６４の位置関係においては、自由長となるよう設定され付勢力は掛かっていない。このため、レンズバリア６０はバネＡ６２の付勢力により開状態となる。一方、ナット２２が図示Ｘの位置へ移動し、レンズバリア駆動部材６４が同図（ｂ）に示す状態になると、バネＢ６７が伸ばされ、バネＡ６２の付勢力より大きなバネＢ６７の付勢力により、レンズバリア６０を閉状態とするものである。レンズバリア６０は、主胴Ａに形成されたピンＤ６８により閉状態で停止する。【００６５】
このように構成することで、レンズバリア６０の動作領域に異物等が挟まった場合でも、破損しないレンズバリア開閉機構を得ることができる。【００６６】
なお、本発明のレンズ鏡胴は、通常のデジタルカメラのみならず携帯電話等に内蔵されたカメラ部にも適用可能であり、本発明でいうカメラとは、携帯端末等に内蔵されるカメラモジュールをも含むものであるのは勿論である。また、縦方向にレンズ鏡胴を配置したカメラを例に取り説明したが、横方向にレンズ鏡胴を配置したものにも適用可能なのは言うまでもない。
【図１】
2006035580.tif 000002
【図２】
2006035580.tif 000003
【図３】
2006035580.tif 000004
【図４】
2006035580.tif 000005
【図５】
2006035580.tif 000006
【図６】
2006035580.tif 000007
【国際調査報告】
2006035580.tif 000008
2006035580.tif 000009
2006035580.tif 000010
2006035580.tif 000011